(57)【要約】      （修正有）【課題】構造の安定性が高く防風能力が優れた防風偏芯傘を提供する。【解決手段】傘ロッド３と、骨条フレームと、上ロクロ１と、下ロクロ２と、傘面とを含み、前記骨条フレームは、骨条と、支持骨条と、メイン支持フレーム５とからなり、第１のメイン支持条５０１及び第２のメイン支持条５０２がメイン支持フレームヒンジ連結軸５０３を介して交差してヒンジ連結されてなるメイン支持フレームの一方の側の２つの端ヘッドは、それぞれ上ロクロ、下ロクロとヒンジ連結される防風偏芯傘であって、骨条空位置を含む。さらに、前記骨条空位置は、骨条とともに３６０度で分布し、前記メイン支持フレームは、骨条空位置に位置するとともに、頂節ヘッドに補助骨条がヒンジ連結され、スライドブッシュに補助支持骨条がヒンジ連結され、補助支持骨条は、メイン支持フレームが骨条空位置の外側を占有する骨条空位置に位置するようにする。【選択図】図１
0003176831.tif 000002
【実用新案登録請求の範囲】
【請求項１】
傘ロッドと、骨条フレームと、上ロクロと、下ロクロと、傘面とを含み、前記骨条フレームは、骨条と、支持骨条とからなり、前記傘ロッドは、スライドブッシュを穿通し、骨条フレームからなる骨条は、一端が上ロクロにヒンジ連結され、支持骨条は、一端が骨条にヒンジ連結され、他端が下ロクロにヒンジ連結され、傘面は、骨条フレームに固定され、傘ロッドとスライドブッシュとの間にはガイド及び傘が開けられた後のロック装置が配置され、頂節ヘッドが傘ロッドの頂端に固定され、第１のメイン支持条及び第２のメイン支持条がメイン支持フレームヒンジ連結軸を介して交差してヒンジ連結されてなるメイン支持フレームの一方の側の２つの端ヘッドは、それぞれ上ロクロ、下ロクロにヒンジ連結されるとともに、上ロクロにヒンジ連結された第１のメイン支持条の他方の側の端ヘッド及びスライドブッシュにヒンジ連結され、下ロクロにヒンジ連結された第２のメイン支持条の他方の側の端ヘッド及び頂節ヘッドにヒンジ連結される防風偏芯傘であって、骨条空位置を含み、前記骨条空位置は、骨条とともに３６０度で分布し、前記第１のメイン支持条と第２のメイン支持条とからなるメイン支持フレームは、骨条空位置に位置するとともに、前記頂節ヘッドに補助骨条がヒンジ連結され、前記スライドブッシュに補助支持骨条がヒンジ連結され、前記補助支持骨条は、メイン支持フレームが骨条空位置の外側を占有する骨条空位置に位置することを特徴とする防風偏芯傘。
【請求項２】
一端が頂節ヘッドにヒンジ連結され、他端が前記頂節ヘッドに隣接した２つの骨条にそれぞれヒンジ連結される、２つの強化枝ロッドをさらに含むことを特徴とする請求項１に記載の防風偏芯傘。
【請求項３】
前記強化枝ロッドと骨条とのヒンジ連結点は、頂節ヘッドからの最近点であることを特徴とする請求項２に記載の防風偏芯傘。
【請求項４】
一端が強化枝ロッドにヒンジ連結され、他端がスライドブッシュにヒンジ連結される補助強化枝ロッドをさらに含むことを特徴とする請求項２に記載の防風偏芯傘。
【請求項５】
前記頂節ヘッドは、傘面に縫合されることを特徴とする請求項１に記載の防風偏芯傘。
【請求項６】
前記補助支持骨条及び補助骨条にウェイトブロックが配置されていることを特徴とする請求項１に記載の防風偏芯傘。
【請求項７】
前記補助骨条は、上補助骨条と、中補助骨条と、下補助骨条とからなり、前記中補助骨条は、一端が上補助骨条にヒンジ連結され、他端が下補助骨条の端ヘッドにヒンジ連結されることを特徴とする請求項１に記載の防風偏芯傘。
【考案の詳細な説明】
【技術分野】
【０００１】
本考案は、一種の防風偏芯傘に関し、特に日光、雨雪防御用の傘用具に関するものである。
【背景技術】
【０００２】
従来、中国特許第ＣＮ２００７２０１２２９５０．７号に、傘ロッドと、骨条フレームと、傘面とを含み、前記傘ロッドは、スライドブッシュを穿通し、骨条フレームからなる骨条は、一端が上ロクロにヒンジ連結され、支持骨条は、一端が骨条にヒンジ連結され、他端が下ロクロにヒンジ連結され、前記骨条及び支持骨条は、３６０度で分布し、傘面は、骨条フレーム及び傘先カバーに固定され、傘ロッドとスライドブッシュとの間にはガイド及び傘が開けられた後のロック装置が配置され、頂節ヘッドが傘ロッドの頂端に固定され、交差直条からなるメイン支持フレームは、一方の側がそれぞれ上、下ロクロにヒンジ連結され、他方の側がそれぞれ頂節ヘッド及びスライドブッシュにヒンジ連結され、補助支持フレームからなる補助支持条は、それぞれ頂節ヘッド、スライドブッシュ及び傘先カバーに接続される偏芯傘が開示されている。しかしながら、この偏芯傘は、構造の安定性及び信頼性が不十分であり、防風能力がよくない課題を有するため、さらに改良する余地がある。
【先行技術文献】
【特許文献】
【０００３】
【特許文献１】中国特許第ＣＮ２００７２０１２２９５０．７号
【考案の概要】
【考案が解決しようとする課題】
【０００４】
そこで、本考案は、従来の技術では存在した課題を解決するための防風偏芯傘を提供することを目的とする。
【課題を解決するための手段】
【０００５】
本考案は、傘ロッドと、骨条フレームと、上ロクロと、下ロクロと、傘面とを含み、前記骨条フレームは、骨条と、支持骨条とからなり、前記傘ロッドは、スライドブッシュを穿通し、骨条フレームからなる骨条は、一端が上ロクロにヒンジ連結され、支持骨条は、一端が骨条にヒンジ連結され、他端が下ロクロにヒンジ連結され、傘面は、骨条フレームに固定され、傘ロッドとスライドブッシュとの間にはガイド及び傘が開けられた後のロック装置が配置され、頂節ヘッドが傘ロッドの頂端に固定され、第１のメイン支持条及び第２のメイン支持条がメイン支持フレームヒンジ連結軸を介して交差してヒンジ連結されてなるメイン支持フレームの一方の側の２つの端ヘッドは、それぞれ上ロクロ、下ロクロにヒンジ連結されるとともに、上ロクロにヒンジ連結された第１のメイン支持条の他方の側の端ヘッド及びスライドブッシュにヒンジ連結され、下ロクロにヒンジ連結された第２のメイン支持条の他方の側の端ヘッド及び頂節ヘッドにヒンジ連結される防風偏芯傘であって、骨条空位置を含み、前記骨条空位置は、骨条とともに３６０度で分布し、前記第１のメイン支持条と第２のメイン支持条とからなるメイン支持フレームは、骨条空位置に位置するとともに、前記頂節ヘッドに補助骨条がヒンジ連結され、前記スライドブッシュに補助支持骨条がヒンジ連結され、前記補助支持骨条は、メイン支持フレームが骨条空位置の外側を占有する骨条空位置に位置することを特徴とする防風偏芯傘を提供する。
【０００６】
本考案に係る防風偏芯傘によれば、従来の技術と比較すると、第１のメイン支持条及び第２のメイン支持条は、メイン支持フレームを介して骨条空位置に位置し、前記頂節ヘッドに補助骨条がヒンジ連結され、前記スライドブッシュに補助支持骨条がヒンジ連結され、前記補助支持骨条が補助骨条と相互にヒンジ連結され、前記補助骨条もメイン支持フレームが骨条空位置の外側を占有する骨条空位置に位置するようにしているため、従来の偏芯傘の構造の安定性を改善し、特に偏芯傘の防風能力を向上することができる。また、本考案に係る防風偏芯傘は、傘ロッド構造が従来のものと大きく相違することはないため、従来技術の如何なる手動の傘開閉構造、半自動の傘開閉構造及び全自動傘開閉構造をも利用することができるため、上述のように、本考案に係る防風偏芯傘の効果を達成することができる。
【０００７】
さらに、本考案に係る防風偏芯傘において、一端が頂節ヘッドにヒンジ連結され、他端が前記頂節ヘッドに隣接した２つの骨条にそれぞれヒンジ連結される、２つの強化枝ロッドをさらに含むことが好ましい。
【０００８】
さらに、本考案に係る防風偏芯傘において、前記頂節ヘッドは、傘面に縫合されることが好ましい。このように、偏芯傘の構造強度及び安定性を一層向上することができる。
【０００９】
さらに、本考案に係る防風偏芯傘において、前記強化枝ロッドと骨条とのヒンジ連結点は、頂節ヘッドからの最近点であることが好ましい。このように、より好ましい構造安定性を得ることができる。
【００１０】
さらに、本考案に係る防風偏芯傘において、一端が強化枝ロッドにヒンジ連結され、他端がスライドブッシュにヒンジ連結される補助強化枝ロッドをさらに含むことが好ましい。このように、偏芯傘の構造を一層向上することができる。
【００１１】
さらに、本考案に係る防風偏芯傘において、前記補助支持骨条及び補助骨条にウェイトブロックが配置されていることが好ましい。このように、傘の重心は、傘ロッド箇所に位置し又は隣接するため、使用感覚を改善することができる。
【図面の簡単な説明】
【００１２】
【図１】本考案に係る好ましい実施例１の防風偏芯傘の主要視図である。
【図２】本考案に係る好ましい実施例１の防風偏芯傘の上面図である。
【図３】本考案に係る好ましい実施例１の防風偏芯傘の強化枝ロッドの構造立体図である。
【図４】本考案に係る好ましい実施例２の防風偏芯傘の主要視図である。
【考案を実施するための形態】
【００１３】
図１ないし図４は、１が上ロクロ、２が下ロクロ、３が傘ロッド、３０１が頂節ヘッドが、４がスライドブッシュ、５がメイン支持フレーム、５０１が第１のメイン支持条、５０２が第２のメイン支持条、５０３がメイン支持フレームヒンジ連結軸、６が骨条、６０１が上骨条、６０２が中骨条、６０３が下骨条、７が支持骨条、８が補助支持骨条、９が補助骨条、９０１が上補助骨条、９０２が中補助骨条、９０３が下補助骨条、１０が傘面、１１がウェイトブロック、１２が強化枝ロッド、１３が補助強化枝ロッドをそれぞれ示す。
【００１４】
以下、本考案に係る好ましい実施例及びその添付図面に基づいて、本発明に係る防風偏芯傘を詳細に説明する。
【００１５】
（実施例１）
図１、２に示すように、本考案に係る実施例１の防風偏芯傘は、傘ロッド３と、骨条フレームと、上ロクロ１と、下ロクロ２と、傘面１０とを含み、前記骨条フレームは、骨条６と、支持骨条７とからなり、前記傘ロッド３は、スライドブッシュ４を穿通し、骨条フレームからなる骨条６は、一端が上ロクロ１にヒンジ連結され、支持骨条７は、一端が骨条６にヒンジ連結され、他端が下ロクロ２にヒンジ連結され、傘面１０は、骨条フレームに固定され、傘ロッド３とスライドブッシュ４との間にはガイド及び傘が開けられた後のロック装置が配置され、頂節ヘッド３０１が傘ロッド３の頂端に固定され、第１のメイン支持条５０１及び第２のメイン支持条５０２がメイン支持フレームヒンジ連結軸５０３を介して交差してヒンジ連結されてなるメイン支持フレーム５の一方の側の２つの端ヘッドは、それぞれ上ロクロ、下ロクロにヒンジ連結されるとともに、上ロクロ１にヒンジ連結された第１のメイン支持条５０１の他方の側の端ヘッド及びスライドブッシュ４にヒンジ連結され、下ロクロ２にヒンジ連結された第２のメイン支持条５０２の他方の側の端ヘッド及び頂節ヘッド３０１にヒンジ連結される防風偏芯傘であって、骨条空位置を含み、前記骨条空位置は、骨条６とともに３６０度で分布し、前記第１のメイン支持条５０１と第２のメイン支持条５０２とからなるメイン支持フレーム５は、骨条空位置に位置するとともに、前記頂節ヘッド３０１に補助骨条９がヒンジ連結され、前記スライドブッシュ４に補助支持骨条８がヒンジ連結され、前記補助支持骨条８及び補助骨条９は、交互にヒンジ連結され、前記補助支持骨条８も、メイン支持フレーム５が骨条空位置の外側を占有する骨条空位置に位置する。
【００１６】
また、この実施例１において、図１、図３に示すように、一端が頂節ヘッド３０１にヒンジ連結され、他端が前記頂節ヘッドに隣接した２つの骨条６にそれぞれヒンジ連結される、２つの強化枝ロッド１２をさらに含み、前記強化枝ロッド１０と骨条６とのヒンジ連結点は、骨条６の頂節ヘッドからの最近点であることが好ましい。
【００１７】
また、この実施例１において、図１、図３に示すように、一端が強化枝ロッド１２にヒンジ連結され、他端がスライドブッシュ４にヒンジ連結される補助強化枝ロッド１３をさらに含むことが好ましい。
【００１８】
また、この実施例１において、前記補助支持骨条８及び補助骨条９にウェイトブロック１１が配置されていることが好ましい。
【００１９】
また、この実施例１において、前記頂節ヘッド３０１は、傘面１０に縫合されることが好ましい。
【００２０】
（実施例２）
図４に示すように、この好ましい実施例２の防風偏芯傘は、前記補助骨条９が上補助骨条９０１と、中補助骨条９０２と、下補助骨条９０３とからなり、中補助骨条９０２は、一端が上補助骨条９０１にヒンジ連結され、他端が下補助骨条９０３の端ヘッドにヒンジ連結される点で、好ましい実施例１とは異なっているため、折り畳み偏芯傘の構成に適している。
【００２１】
上述のように、本考案に係る防風偏芯傘は、傘ロッドと、骨条フレームと、上ロクロと、下ロクロと、傘面とを含み、前記骨条フレームは、骨条と、支持骨条と、メイン支持フレームとからなり、第１のメイン支持条及び第２のメイン支持条がメイン支持フレームヒンジ連結軸を介して交差してヒンジ連結されてなるメイン支持フレームの一方の側の２つの端ヘッドは、それぞれ上ロクロ、下ロクロにヒンジ連結される防風偏芯傘であって、骨条空位置を含み、前記骨条空位置は、骨条とともに３６０度で分布し、前記メイン支持フレームは、骨条空位置に位置するとともに、前記頂節ヘッドに補助骨条がヒンジ連結され、前記スライドブッシュに補助支持骨条がヒンジ連結され、前記補助支持骨条は、メイン支持フレームが骨条空位置の外側を占有する骨条空位置に位置するようにしているため、従来技術では存在した構造及び安定性がよくない問題を解決することができる。
【００２２】
上述したものは、本考案の好ましい具体的実施例の詳細説明や図面に過ぎず、所属する技術分野において通常知識を有する者により本発明の主旨を逸脱しない範囲で種々に修正や変更されることが可能であり、そうした修正や変更は、本発明の特許請求の範囲に入るものである。
【００２３】
以上のように、本考案では、傘ロッドと、骨条フレームと、上ロクロと、下ロクロと、傘面とを含み、前記骨条フレームは、骨条と、支持骨条とからなり、前記傘ロッドは、スライドブッシュを穿通し、骨条フレームからなる骨条は、一端が上ロクロにヒンジ連結され、支持骨条は、一端が骨条にヒンジ連結され、他端が下ロクロにヒンジ連結され、傘面は、骨条フレームに固定され、傘ロッドとスライドブッシュとの間にはガイド及び傘が開けられた後のロック装置が配置され、頂節ヘッドが傘ロッドの頂端に固定され、第１のメイン支持条及び第２のメイン支持条がメイン支持フレームヒンジ連結軸を介して交差してヒンジ連結されてなるメイン支持フレームの一方の側の２つの端ヘッドは、それぞれ上ロクロ、下ロクロにヒンジ連結されるとともに、上ロクロにヒンジ連結された第１のメイン支持条の他方の側の端ヘッド及びスライドブッシュにヒンジ連結され、下ロクロにヒンジ連結された第２のメイン支持条の他方の側の端ヘッド及び頂節ヘッドにヒンジ連結される防風偏芯傘であって、骨条空位置を含み、前記骨条空位置は、骨条とともに３６０度で分布し、前記第１のメイン支持条と第２のメイン支持条とからなるメイン支持フレームは、骨条空位置に位置するとともに、前記頂節ヘッドに補助骨条がヒンジ連結され、前記スライドブッシュに補助支持骨条がヒンジ連結され、前記補助支持骨条は、メイン支持フレームが骨条空位置の外側を占有する骨条空位置に位置することを特徴とする防風偏芯傘とするものである。
【００２４】
また、一端が頂節ヘッドにヒンジ連結され、他端が前記頂節ヘッドに隣接した２つの骨条にそれぞれヒンジ連結される、２つの強化枝ロッドをさらに含むものとする。
【００２５】
また、前記強化枝ロッドと骨条とのヒンジ連結点は、頂節ヘッドからの最近点であるものとする。
【００２６】
また、一端が強化枝ロッドにヒンジ連結され、他端がスライドブッシュにヒンジ連結される補助強化枝ロッドをさらに含むものとする。
【００２７】
また、前記頂節ヘッドは、傘面に縫合されるものとする。
【００２８】
また、前記補助支持骨条及び補助骨条にウェイトブロックが配置されているものとする。
【００２９】
また、前記補助骨条は、上補助骨条と、中補助骨条と、下補助骨条とからなり、前記中補助骨条は、一端が上補助骨条にヒンジ連結され、他端が下補助骨条の端ヘッドにヒンジ連結されるものとする。
【産業上の利用可能性】
【００３０】
本考案に係る防風偏芯傘によれば、従来に存在した構造及び防風の安定性がよくない課題を解決することができる
【符号の説明】
【００３１】
１  上ロクロ
２  下ロクロ
３  傘ロッド
４  スライドブッシュ
５  メイン支持フレーム
６  骨条
７  支持骨条
８  補助支持骨条
９  補助骨条
１０  傘面
１１  ウェイトブロック
１２  強化枝ロッド
１３  補助強化枝ロッド
３０１  頂節ヘッド
５０１  第１のメイン支持条
５０２  第２のメイン支持条
５０３  メイン支持フレームヒンジ連結軸
６０１  上骨条
６０２  中骨条
６０３  下骨条
９０１  上補助骨条
９０２  中補助骨条
９０３  下補助骨条
【図１】
0003176831.tif 000003
【図２】
0003176831.tif 000004
【図３】
0003176831.tif 000005
【図４】
0003176831.tif 000006